(57)【要約】【課題】  サイズ調整可能であり、且つ指に安定して装着可能な指輪を提供する。【解決手段】  指輪１は、指挿入開口部１１及び間隙部１２を備えた略Ｃ形状の変形可能な指輪本体部１０と、間隙部１２を挟んで両端にそれぞれ形成され、指輪本体部１０の内周面に比べて幅方向に広い内面を備えた膨大部１３とを有する。膨大部１３により、指装着時において指との接触面積が大きくなるため、指と間の摩擦力を大きくすることができる。【選択図】図１
2020048646.tif 000002
【特許請求の範囲】
【請求項１】
指挿入開口部及び間隙部を備えた略Ｃ形状の変形可能な指輪本体部と、
前記指輪本体部の前記間隙部を挟んだ両端にそれぞれ形成されており、前記指輪本体部の内周面に比べて幅方向に広い内面を備えた膨大部と
を有する指輪。
【請求項２】
前記膨大部の内面には、凹部が形成されている
請求項１に記載の指輪。
【請求項３】
前記膨大部の外面は、外側に向けて丸みを帯びて突出している
請求項１又は請求項２に記載の指輪。
【請求項４】
前記膨大部は、外側から見て前記幅方向を長辺とした略楕円形状をしている
請求項１〜３のいずれかに記載の指輪。
【請求項５】
前記指輪本体部と前記膨大部とは一体的に形成されている
請求項１〜４のいずれかに記載の指輪。
【発明の詳細な説明】
【技術分野】
【０００１】
本発明は、サイズ調整可能な指輪に関する。
【背景技術】
【０００２】
従来から、購入後に指のサイズが変わったり、他人から指輪を譲り受けたときなどに、指輪のサイズを調整することがあった。
指輪のサイズ調整の際には、例えば、リング本体をカットして、その周の長さを調整してからカット端間をロウ付けし、再度リング本体を形成することがある。
【０００３】
例えば、指輪のサイズを小さくする場合には、カットしたカット端を更に切り取ったり、削ったりして周の長さを短くしてからカット端同士をロウ付けする。逆に、サイズを大きくする場合には、カット端間に延長部材を挟んでその両端をロウ付けする。
【先行技術文献】
【特許文献】
【０００４】
【特許文献１】特開平０５−１７１２０１号公報
【発明の概要】
【発明が解決しようとする課題】
【０００５】
しかしながら、上述した従来の指輪のサイズ調整方法では上記ロウ材は、リング本体を構成する材質と比べて融点が低く、柔らかい材質が多い。そのため、ロウ材を用いた接合では、ロウ材部分の強度が極端に低くなり、指輪をはめた状態で手を握ったり重い荷物を持ったりしたときなどに、隣接する指や手の平の側から圧力を受けてその部分からリング本体が変形してしまうことがあるという問題があった。
また、サイズ調整後においても、指から指輪が外れたり、回転しないように、指に指輪を安定して装着したいという要望がある。
【０００６】
本発明は、上述した従来の問題点に鑑みてなされたものであり、特別な作業をすることなくサイズ調整可能であり、且つ指に安定して装着可能な指輪を提供することを目的とする。
また、本発明は、強度を損なうことなく、地金使用量を抑えることができる指輪を提供することを目的とする。
【課題を解決するための手段】
【０００７】
上記目的を達成するために、本発明により提供される指輪は、指挿入開口部及び間隙部を備えた略Ｃ形状の変形可能な指輪本体部と、前記指輪本体部の前記間隙部を挟んだ両端にそれぞれ形成されており、前記指輪本体部の内周面に比べて幅方向に広い内面を備えた膨大部とを有する。
【０００８】
この構成によれば、変形可能な指輪本体部に間隙部を設けたことで、指挿入開口部に装着する指のサイズに応じて、間隙部の距離を可変にして指挿入開口部の径（サイズ）を、特に作業をすることなく簡単に調整できる。
また、この構成によれば、指輪本体部の間隙部を挟んで両端にそれぞれ形成された膨大部が、指輪本体部の内周面に比べて幅方向に広い内面を備えていることで、幅方向に同じ長さの内面を備えている場合に比べて、指装着時において指との接触面積を大きくでき、その結果、指との摩擦力が大きくなる。そのため、指に指輪を安定して固定することができ、指から指輪が外れたり、回転し難くすることができる。
【０００９】
好適には、前記膨大部の内面には、凹部が形成されている。
【００１０】
この構成によれば、指挿入開口部に指を装着し、指輪本体部の内周面及び膨大部の内面が指で外側に向けて押圧されて間隙部が広がった状態で、凹部内に指表面の一部が押し込まれる。これにより、指と指輪との接触面積を大きくできると共に、凹部内に押し込まれた指表面の一部が凹部の内面に引っ掛かり、大きな摩擦力及び移動抗力が生じる。これにより、指輪を指に安定して装着でき、指から指輪が外れたり、回転しないようにできる。
また、この構成によれば、膨大部の内面に凹部を形成しても、指輪全体の強度を損なうことなく、使用する地金量を少なくできる。
【００１１】
好適には、前記膨大部の外面は、外側に向けて丸みを帯びて突出している。
【００１２】
この構成によれば、指装着状態において、間隙部から外側に指の一部が突き出た場合に、その突き出た部分を２つの膨大部で側面から囲って保護できる。また、外観上も好ましい。
【００１３】
好適には、前記膨大部は、外側から見て前記幅方向を長辺とした略楕円形状をしている。
【００１４】
この構成によれば、膨大部が幅方向に長いため、その内面と指との接触面積を、間隙部の周方向の距離を保ちながら、大きくすることができる。
【００１５】
好適には、前記指輪本体部と前記膨大部とは一体的に形成されている。
【００１６】
この構成によれば、指輪本体部と膨大部との間を接着剤等で接合する必要がないので、指輪を簡単に短時間で製造できると共に、一定の強度を保つことができる。
【発明の効果】
【００１７】
本発明に係る指輪では、指輪本体部の前記間隙部を挟んで両端にそれぞれ形成された膨大部が、指輪本体部の内周面に比べて幅方向に広い内面を備えていることで、幅方向が同じ長さの内面を備えている場合に比べて、指装着時において指との接触面積を大きくでき、その結果、指と間の摩擦力を大きくできる。そのため、指に指輪を安定して固定でき、指から指輪が外れたり、回転し難くすることができる。
【図面の簡単な説明】
【００１８】
【図１】図１は、本発明の実施形態に係る指輪の正面図である。
【図２】図２は、図１に示す指輪の底面図である。
【図３】図３は、図１に示す指輪の膨大部の内面を説明するための図である。
【図４】図４は、本発明の実施形態に係る指輪の第１変形例の底面図である。
【図５】図５は、本発明の実施形態に係る指輪の第２変形例の底面図である。
【発明を実施するための形態】
【００１９】
以下、本発明の好適な実施の形態について図面を参照しながら詳細に説明する。
なお、以下の指輪に関する説明において、前後方向とは、指輪に指を挿入する方向を言う。上下方向とは、指の挿入方向に対して直交すると共に、指輪本体部の中心と間隙部の中心とを結ぶ方向に直交する方向を言う。特にこの場合、間隙部側の向きを下方とし、その逆を上向きとする。また、膨大部の内面とは膨大部における指輪本体部のリング状中心に対向する側の面をいう。また、膨大部の外面とは、上記内面の反対側の面をいう。また、膨大部の外側とは、膨大部の外面の外側（指輪本体部の中心と反対側）をいう。
【００２０】
本実施形態に係る指輪１は、金属の鋳造（キャスト）を行うことにより製造される。なお本発明において、指輪１の材質や製造方法は特に限定されるものではなく、任意に変更することができる。
【００２１】
図１は、本発明の実施形態に係る指輪１の正面図である。図２は、図１に示す指輪１の底面図である。図３は、図１に示す指輪１の膨大部１３の内面を説明するための図である。
【００２２】
指輪１は、変形（例えば、弾性変形）可能な指輪本体部（リング部）１０と、指輪本体部１０に一体的に形成される膨大部１３とを有する。
指輪本体部１０は、人間の指が挿入される指挿入開口部１１が形成されるように略Ｃ形状に形成されている。
【００２３】
また、指輪本体部１０の下方部分には、指輪本体部１０の弾性変形により、指挿入開口部１１の大きさを調節可能な間隙部１２が設けられている。この間隙部１２を広げたり狭めたりすることにより、特別な作業を行うことなく、指挿入開口部１１の径を様々な太さの指に合わせて調節することが可能である。
【００２４】
指輪本体部１０には、間隙部１２を挟んで両端にそれぞれ形成され、指輪本体部１０の内周に比べて幅方向に広い内面を備えた膨大部１３が一体的に形成されている。
２つの膨大部１３は、間隙部１２を間に挟んで向かい合うように配されると共に、前後方向（幅方向）の寸法を大きくした形状をしている。
【００２５】
図２に示すように、膨大部１３の外面は、外側に向けて丸みを帯びて突出した形状をしている。
また、膨大部１３は、外側から見て幅方向を長辺とした略楕円形状をしている。
【００２６】
図３に示すように、膨大部１３の内面の中央付近には、凹部２３が形成されている。
凹部２３は、指輪本体部１０及び膨大部１３の鋳造時に同時に形成される。
このような凹部２３を設けることで、指挿入開口部１１に指を装着し、指輪本体部１０の内周面及び膨大部１３の内面が指で外側に向けて押圧されて間隙部１２が広がった状態で、凹部２３内に指表面の一部が押し込まれる。これにより、指と指輪１との接触面積を大きくできると共に、凹部２３内に押し込まれた指の一部が凹部２３の内面に引っ掛かり、大きな摩擦力及び移動抗力が生じる。これにより、指輪１を指に安定して装着でき、指から指輪が外れたり、回転しないようにできる。
【００２７】
また、凹部２３を形成することで、その部分には地金が不要となり、地金の使用量を少なくできる。
【００２８】
また、膨大部１３の内面に凹部２３を形成しても、指輪１全体の強度を落とすことは殆どない。
【００２９】
図１に示すように、膨大部１３の外面は、外側に向けて丸みを帯びて突出している。
この構成によれば、指装着状態において、間隙部１２から外側に指の一部が突き出た場合に、その突き出た部分を２つの膨大部１３で側面から囲って保護できる。また、外観上も好ましい。更に、外面が丸みを帯びているため、指との接触部分における違和感が軽減されるという効果がある。
【００３０】
また、図２に示すように、膨大部１３は、外側から見て幅方向を長辺とした略楕円形状をしている。
この構成によれば、膨大部１３が幅方向に長いため、その内面と指との接触面積を、間隙部１２の周方向の距離を保ちながら、大きくすることができる。
【００３１】
また、指輪本体部１０と膨大部１３とは一体的に形成されている。
この構成によれば、指輪本体部１０と膨大部１３との間を接着剤等で接合する必要がないので、指輪１を簡単に短時間で製造できると共に、一定の強度を保つことができる。
【００３２】
以上のような本実施形態の指輪１によれば、変形可能な指輪本体部１０に間隙部１２を設けたことで、指挿入開口部１１に装着する指のサイズに応じて、間隙部１２の距離を可変にして指挿入開口部１１の径（サイズ）を、特に作業をすることなく簡単に調整できる。
【００３３】
また、指輪１によれば、指輪本体部１０の間隙部１２を挟んだ両端にそれぞれ形成された膨大部１３が、指輪本体部１０の内周面に比べて幅方向に広い内面を備えていることで、幅方向が同じ長さの内面を備えている場合に比べて、指装着時において指との接触面積を大きくでき、その結果、指と間の摩擦力を大きくできる。そのため、衝撃や外力が加わった場合でも、指に指輪を安定して固定でき、指から指輪が外れたり、回転し難くすることができる。
【００３４】
上述した実施形態は一例であり、本発明はこの例に限定されるものではなく、種々のバリエーションを含んでいる。
【００３５】
例えば、膨大部１３の形状は、指輪本体部１０の内周面に比べて幅方向に広い内面を備えていれば、特に限定されない。
また、膨大部１３の外側から見た形状を図４に示すように円形してもよいし、図５に示すように月形にしてもよい。
【００３６】
また、上述した実施形態では、指輪本体部１０には装飾部が形成されていない場合を例示したが、指輪本体部１０の所定の位置、例えば、間隙部１２と対向する位置等に装飾部が形成されていてもよい。
また、上述した実施形態では、膨大部１３の内面に凹部２３を形成した場合を例示したが、凹部２３を形成しなくてもよい。
【符号の説明】
【００３７】
１…  指輪
１０…  指輪本体部（リング部）
１１…  指挿入開口部
１２…  間隙部
１３…  膨大部
２３…  凹部
【図１】
2020048646.tif 000003
【図２】
2020048646.tif 000004
【図３】
2020048646.tif 000005
【図４】
2020048646.tif 000006
【図５】
2020048646.tif 000007